(57)【要約】      （修正有）【課題】二穴一対の刃受け口を特別の対として区別することなく、隣接の刃受け口を共用できるように構成することで、電源プラグの差し込み位置の自由なテーブルタップを提供する。【解決手段】一対の刃を有する電源プラグ類を接続するために、タップ本体の一面に複数個の刃受け口を有し、各刃受け口１３の内部に端子列を備えたテーブルタップについて、複数個の刃受け口１３、１３は、電源プラグ類１１の一対の刃１２、１２の並び方向へ一列に配列されており、かつ、隣接する刃受け口間の間隔が上記一対の刃１２、１２の間隔と同一に設定されている。【選択図】図１
0003189074.tif 000002
【実用新案登録請求の範囲】
【請求項１】
一対の刃を有する電源プラグ類を接続するために、タップ本体の一面に複数個の刃受け口を有し、各刃受け口の内部に端子列を備えたテーブルタップであって、
複数個の刃受け口は、電源プラグ類の一対の刃の並び方向へ一列に配列されており、
かつ、隣接する刃受け口間の間隔が上記一対の刃の間隔と同一に設定されている
差込み位置の自由なテーブルタップ。
【請求項２】
タップ本体は刃受け口を有する面の両側に互いに平行な二側面を有し、上記二側面には刃受け口の配列方向と平行な溝があり、上記の平行な溝は、それに係合してスライド可能なホルダーの取り付け部となり、上記ホルダーには任意の取り付け部に対する固定手段を設けている
請求項１記載の差込み位置の自由なテーブルタップ。
【請求項３】
タップ本体は３個以上の奇数個の刃受け口を有することを特徴とする
請求項１又は２記載の差込み位置の自由なテーブルタップ。
【請求項４】
タップ本体は、電源コードと各刃受け口内部に具備する端子列とを有しており、かつ、上記電源コードと端子との間に、通電を制御するスイッチを少なくとも一個設けている
請求項１ないし３の何れかに記載の差込み位置の自由なテーブルタップ。
【請求項５】
タップ本体は、電源コードと各刃受け口内部に具備する端子列とを有し、かつ、上記電源コード又は端子に接続される、ＵＳＢ端子を少なくとも一個有している
請求項１ないし３の何れかに記載の差込み位置の自由なテーブルタップ。
【請求項６】
タップ本体はホット及びコールド２極の刃受け口を有しており、上記２極の刃受け口にタイプＡの電源プラグを接続するように構成された
請求項１ないし５の何れかに記載の差込み位置の自由なテーブルタップ。
【請求項７】
タップ本体には二穴一対の刃受け口に加えて３極目の刃受け口を設け、アース端子を有するタイプＢに属する電源プラグを接続するように構成された
請求項１ないし５の何れかに記載の差込み位置の自由なテーブルタップ。
【考案の詳細な説明】
【技術分野】
【０００１】
本考案は、電源プラグ類を接続する複数個の刃受け口をタップ本体の一面に有し、各刃受け口の内部に端子列を備えた差込み位置の自由なテーブルタップに関するものである。
【背景技術】
【０００２】
家電製品を始めとする様々な電気機器を使用するために、テーブルタップが広く用いられている。テーブルタップは延長コードとも呼ばれており、室の壁面等に装備された所謂コンセントから離れた場所でも使用可能である。特に、マルチタップは複数対の刃受け口を有しており、その定格電圧及び定格電流の範囲内において複数台の電気機器を同時に使用することができる。
【０００３】
上記のような従来のテーブルタップ類は、タイプＡに属する電源プラグの場合、一対の刃を差込む二穴を一対とした刃受け口を有し、マルチタップでは二穴一対の刃受け口を単にとして隣接した刃受け口同士の間に適当な間隔を設けている。例えば、特開２０１２−１７７６１６号はタイプＢに属するテーブルタップに関する考案であるが、その刃受け口は第１開口と第２開口から成るタイプＡと同じく二穴一対であり、隣接の第１開口と第２開口同士は第１開口と第２開口の間隔以上の間隔に設定されている。
【０００４】
また、特開２０１２−２２１９４９号はスイッチ付きコンセントの考案であり、多数個の刃受け口は、電源プラグの一対の刃の並び方向へ一列に配列されている。しかし、第一導電体、第二導電体と呼ばれ刃受け口の内部にある端子列を一対とするものと、隣接する一対の端子列との間隔は、電源プラグの一対の刃の間隔よりも広く設定されている。このように、確認し得る従来のテーブルタップでは一対の刃受け口は一対ずつ独立して、隣接の刃受け口を共用できない構造になっている。
【０００５】
その理由は様々考えられるが、一つには極性を区別する必要性を挙げることができる。極性は例えばオーディオ機器の場合重要と考えられているほか、電気機器の安全性からも区別することが必要である。しかし、極性が問題とされない電気機器もあり、また、タイプＡのプラグには無極性のプラグが普通にある。特に極性が問題とされない場合、二穴一対の刃受け口を特別のものとして区別する必要はなく、どの一対の刃受け口に接続しても良いわけであるが、そのようなテーブルタップは知られていない。
【０００６】
【特許文献１】特開２０１２−１７７６１６号
【特許文献２】特開２０１２−２２１９４９号
【考案の開示】
【考案が解決しようとする課題】
【０００７】
本考案は前記の点に着目してなされたもので、その課題は、二穴一対の刃受け口を特別の対として区別することなく、隣接の刃受け口を共用できるように構成し、そうすることによって、電源プラグの差し込み位置を自由に選べるようにしたテーブルタップを提供することである。また、本考案の他の課題は、刃受け口数が同数個の従来のタップに対して小型化可能であり、従来のタップと同サイズの場合にはより多くの刃受け口を装備し得るテーブルタップを提供することである。
【課題を解決するための手段】
【０００８】
前記の課題を解決する本考案は、一対の刃を有する電源プラグ類を接続するために、タップ本体の一面に複数個の刃受け口を有し、各刃受け口の内部に端子列を備えたテーブルタップであって、複数個の刃受け口は、電源プラグ類の一対の刃の並び方向へ一列に配列されており、かつ、隣接する刃受け口間の間隔が上記一対の刃の間隔と同一に設定するという手段を講じたものである。
【０００９】
本考案は、上記の如く構成することにより電源プラグの差込み位置を自由に選択可能なテーブルタップを実現したものである。従って、基本的には無極性のテーブルタップに属するものといえるが、無極性のものに限定されるわけでもない。また、隣接の刃受け口を共用するために、タップ本体の一面に複数個の刃受け口を有することは本考案において必須の要件である。なお、本考案ではタイプＡに属する電源プラグを使用することが前提になる。しかし、タイプＢに属するアース端子を有するもの、および円形断面の二つのピンを持つタイプＣのプラグ用コンセントに本考案を適用することも不可能ではない。
【００１０】
本考案の特徴となるのは上記の構成において、隣接する刃受け口間の間隔が上記一対の刃の間隔と同一に設定されるようにした点である。これは隣接の刃受け口を全て共用できるようにしたもので、従来に見られない考案思想に基づいているといえる。なお、複数個の刃受け口は、電源プラグの一対の刃の並び方向へ一列に配列されているが、その配列を複数列設けることも可能である。
【００１１】
タップ本体は刃受け口を有する面の両側に互いに平行な二側面を有し、上記二側面には刃受け口の配列方向と平行な溝があり、上記の平行な溝は、それに係合してスライド可能なホルダーの取り付け部となり、上記ホルダーには任意の取り付け部に対する固定手段を設けることができる。ホルダー本体が本体自体を、例えば壁面に代表される任意の取り付け部に固定するための手段を有することは、テーブルタップの使用上有利な事項である。
【００１２】
本考案の装置として、タップ本体が、電源コードと各刃受け口内部に具備する端子列とを有しており、上記電源コードと端子との間に、通電を制御するスイッチを少なくとも一個設けているものは、好ましい構成である。スイッチは端子列への通電を制御するもののほか、個々の端子への通電を制御するものを含む。
【００１３】
また、タップ本体が、電源コードと各刃受け口内部に具備する端子列とを有し、かつ、上記電源コード又は端子列に接続される、ＵＳＢ端子を少なくとも一個有しているという構成も、好ましいものである。ＵＳＢ端子はオス側（プラグ）とメス側（ソケット又はレセプタクル）のコネクターから成るが、ＵＳＢ延長コードの端子は通常オス側であるから本考案のタップ本体にはメス側コネクターを設けるのが一般的とはいえる。
【００１４】
本発明により極性を有するテーブルタップとしても構成可能であり、例えば、タップ本体はホット及びコールド２極の刃受け口を二穴一対の刃受け口として有するものとし、上記二穴一対の刃受け口にタイプＡの電源プラグを接続するように構成することができる。また、タップ本体には二穴一対の刃受け口に加えて３極目の刃受け口を設け、アース端子を有するタイプＢに属する電源プラグを接続するように構成することもあり得る。
【考案の効果】
【００１５】
本考案は以上のように構成され、かつ、作用するものであるから、二穴一対の刃受け口を特別のものとして区別することなく、隣接した任意の刃受け口を共用できるように構成することができ、それにより隣接する刃受け口のどの位置に電源プラグの刃を差し込んでも通電状態が得られ、従って、差し込み位置の選択が自由なテーブルタップを提供することができるという効果を奏する。また、本考案によれば、刃受け口の間隔が最小となるので同数個の刃受け口を持つ従来のタップに対して小型化可能であり、逆に従来のタップと同サイズの場合にはより多くの刃受け口を装備し得るテーブルタップを提供することができる。
【考案を実施するための最良の形態】
【００１６】
以下、図示の実施形態を参照して本考案をより詳細に説明する。図１は本考案に係る差込み位置の自由なテーブルタップ１０の例１を示すもので、電源プラグ１１はそれを接続するための一対の刃１２、１２を有している。上記電源プラグ１１はいわゆるコンセントに接続するタイプＡに属するプラグであり、日本国内用等としてＪＩＳＣ８３０３の規定を満たす。つまり、電源プラグ１１の一対の刃１２、１２は一定の間隔ｄを有する。
【００１７】
上記タップ本体１５はその一面に複数個の刃受け口１３を有し、各刃受け口１３の内部には端子列１４を具備している（図２参照）。刃受け口１３の間隔は全部が上記プラグ刃１２、１２の間隔ｄと同じｄである。このような構成を有する刃受け口１３、１３…は複数個のものが電源プラグ１１の一対の刃１２、１２の並び方向へ一列に配列されている。この配列は、平たい板状の刃１２、１２が２個平行に設けられているタイプＡの電源プラグ１１の場合、端子の平たい刃板面が平行になり、かつ、刃板面に直交する方向へ刃受け口１３、１３…が並んでいる配列と言い換えることもできる。
【００１８】
このタップ本体１５は刃受け口配列方向へ細長い形態を持ち、上下二部分１６、１７から成る構造に形成されており、刃受け口１３は上部材１６に設けられている。図示の実施形態において、タップ本体１５の複数個の刃受け口１３、１３…は、それらの並び方向へ一列に配列した例のみを示している。しかし、刃受け口１３の列は一列だけに限らず複数列配列することも可能であるから、その場合にはより幅広の形態になる。
【００１９】
この実施形態においては、電源コード１８の二本の導線１８ａ、１８ｂに各一個の端子板１９ａ、１９ｂが接続されている。一方の端子板１９ａには端子２１ａが設けられ、他の一方の端子板１９ｂには端子２１ｂが設けられ、これらの端子２１ａ、２１ｂはそれぞれが交互に一列に配置されることで、前述した端子列１４を構成している。交互に配列される端子２１ａ、２１ｂの間隔は、隣接する刃受け口間と同一の間隔ｄである。
【００２０】
このような端子板１９ａ、１９ｂは、タップ本体１５に内部構造として設けられた保持部２２ａ、２２ｂに嵌め込んで固定される。２３は係合片であり、上下二部分１６、１７を係合状態として一体に組み立てるために下部分１７に設けられ、上部分１６に設けられた相手部分（図示せず）と係合する。このタップ本体１５は、各部を通電可能に接続した上で、結合手段２４として例示したネジ止めにより一体に組み立てられる（図２参照）。
【００２１】
図３〜図５は、前記タップ本体１５が固定機構を備えている本考案の例２を示す。タップ本体１５は刃受け口１３を設けていない左右両側に平行な二側面を有し、この二側面に刃受け口１３の配列方向と平行な溝２５を有している（図１０Ａ参照）。図１０Ａに見られるように上記の平行な溝２５は抜け止め突起を有しており、ホルダー２６は溝２５に係合してスライド可能に取り付けられ、そのためホルダー２６には任意の取り付け部に対する固定手段２７が設けられている。ホルダー２６についてはあらためて後述する。
【００２２】
上記の溝２５の形成には上下二部分１６、１７から成る構造が利用されている。具体的には、上下二部分１６、１７の接合部分に型成形により設けた長手方向に沿う凹みにより溝２５が形成されている。溝２５はタップ本体１５の全長に及んでいれば、ホルダー２６を前後どちらの端部からでも挿入しまた抜き出すことができる（図３参照）。前述のホルダー２６は、タップ本体１５を両側から挟むような形状に形成されている。
【００２３】
ホルダー２６はタップ本体下部分１６に重なる底部２６ａと、その左右両側から溝２５の方向へ立ち上がる側部２８、２８を有し、全体としてコの字型の断面形状に形成され、側部２８には内方への突部２８ａが設けられている（図４）。固定手段２７は底部２６ａに配置される磁石２７ａ、或いは同じ底部２６ａに形成されたＴ字型の係止孔２７ｂから構成される。２７ｃは磁石保持部材、２７ｄは接着部材で、磁石保持部材２７ｃをタップ本体１５の下面に接着する。２６ｂは磁石配置部としての開口を示す。
【００２４】
よって、ホルダー２６をその突部２８ａ、２８ａと溝２５、２５の係合によりタップ本体１５に取り付けるとともに（図５参照）、任意の位置にスライドさせて位置を決めることができる。さらに、磁石２７ａを利用したときには、磁性体より成る面に磁気吸着させて固定することができ、また、係止孔２７ｂを利用する場合には、図示していないフックに掛けてタップ本体１５を吊り下げることができる。
【００２５】
このように構成された本考案のテーブルタップ１０において、電源プラグ１１の一対の刃１２、１２をタップ本体１５の一面に配列されている複数個の刃受け口１３、１３…の中で任意の位置の隣接する二穴一対の刃受け口の端子２１ａ、２１ｂに接続すれば良い。図６を参照して説明すると、電源プラグ１１−１の刃１２、１２は左から１番目と２番目の端子２１ａ、２１ｂに接続しているのに対して、電源プラグ１１−２の刃１２、１２は４番目と５番目の端子２１ａ、２１ｂに接続可能であり、１、２番と３、４番の対ごとに接続する必要はない。
【００２６】
また、隣接する刃受け口間の間隔ｄが上記一対の刃の間隔ｄと同一に設定されている本考案では、通常は電源プラグ１１の幅の方がｄより広いので隣接する端子２１ａ、２１ｂの２個ずつに接続することができない。しかし、電源プラグ１１−１、１１−２が通常よりも幅狭く形成されたものであれば、３番目と４番目の端子２１ａ、２１ｂに接続可能になるから、電源プラグ１１を密接させて接続できることも理解されるであろう。
【００２７】
上記に加えて、一対の刃１２、１２を有するものに例えばＡＣアダプター２９があり、これも電源プラグ１１と同類に扱えるものである。この場合は通常の電源プラグよりも大型の筐体を有するため隣接する刃受け口１３が利用できなくなるので、従来のテーブルタップでは直接隠される右から３番目、４番目のものが使えなくなる恐れがある。しかし、本考案のテーブルタップ１０によれば右から１、２番と３、４番の対ごとに使用すべき理由もないためより多数個のプラグ類の接続が可能である。
【００２８】
本考案によれば、タップ本体１５は、電源コード１８と各刃受け口内部に具備する端子列１４とを有するとともに、上記電源コード１８と端子との間に、通電を制御するスイッチ３０を少なくとも一個設けることができる（図７）。そこで、スイッチ３０を備えたものを本考案の例３として説明する。図示の実施形態の場合、電源コード１８と端子列１４との間にスイッチ３０を設けており（図８Ａ、Ｂ）、従って、スイッチ３０のオン・オフにより全端子が切り替えられる。しかし、個々の端子２１ａ、２１ｂを別々にオン・オフすることも可能であるのは既に触れたとおりであり、容易に実施可能である。
【００２９】
さらに本考案によれば、タップ本体１５は電源コード１８と各刃受け口内部に具備する端子列１４とを有し、かつまた、上記電源コード１８又は端子２１ａ、２１ｂに接続されるＵＳＢ端子３１を少なくとも一個有する形態を取ることも可能である（図９等参照）。ＵＳＢ端子３１を有する本考案の例４では、メス側コネクターをタップ本体１５に設けており、そのためタップ本体１５の他端部に開口３２が形成されている（図１０Ａ、Ｂ）。
【００３０】
次に、本考案を、極性を有するテーブルタップに適用した例について説明する。図１１Ａはコールド及びホット２極の刃受け口３３、３４を区別する例５を示している。コールド側刃受け口３３には、ホット側刃受け口３４よりも僅かながら幅広いプラグの刃が接続されることで極性が保たれる。しかし、このような極性を有するテーブルタップの場合であっても、タップ本体３５に設けるコールド及びホット２極の刃受け口３３、３４の間隔を全てｄとすることができ、無極性のタイプＡのプラグ１１の刃についてはどの位置でも隣接の刃受け口３３、３４或いは逆順の刃受け口３４、３３に接続することができる。
【００３１】
また、図１１Ｂは３極目のアース端子を有するタイプＢに属する刃受け口３６をタップ本体３７に設けた例６である。しかし、他の２極の刃受け口は例１ないし例４における一対のものと同じ刃受け口であるので、刃受け口には同じ符号１３を用いている。そして、例６の場合、例１等における他の２極の端子板１９ａ、１９ｂのほかに第３極のピン用の端子板２０が組み合わされる（図１２参照）。例６では、アース端子を有する３極の電源プラグを任意の位置の一対の刃受け口１３、１３、３６に差し込んで接続することができるとともに、無極性の２極の電源プラグ１１を任意の位置の刃受け口１３、１３に接続することも可能である。
【００３２】
本考案は上記のように構成されており、隣接する２穴一対から成る刃受け口１３、１３の間に無駄なスペースがなくなり、どの位置でも隣接する任意の刃受け口１３、１３に電源プラグ類を接続することができる。従って、テーブルタップの小型化に寄与し、或いは逆に刃受け口配列の高密度化を促進することができる。更に付け加えれば、本発明によるテーブルタップは３個以上の奇数個の刃受け口を有することを特徴とするものということができる。図示の各例１〜６において１７個という奇数個の刃受け口１３、３３を有するものを特に図示したのは上記の特徴があるからである。
【図面の簡単な説明】
【００３３】
【図１】本考案に係る差込み位置の自由なテーブルタップの例１をプラグと共に示す斜視図である。
【図２】同上におけるテーブルタップを裏返して示した分解斜視図である。
【図３】本考案に係るテーブルタップの例２を示す斜視図である。
【図４】同上におけるホルダーの一例を示す分解斜視図である。
【図５】同じく例２に関するもので、Ａは端面図、Ｂは部分平面図である。
【図６】本考案に係るテーブルタップの使用方法を示す断面図である。
【図７】同じく本考案に係るテーブルタップの例３を示す斜視図である。
【図８】同上における要部を拡大したもので、Ａは平面図、Ｂは断面図である。
【図９】同じく本考案に係るテーブルタップの例４を示す斜視図である。
【図１０】同じく例４に関するもので、Ａは端面図、Ｂは断面図である。
【図１１】同じく本考案に係るテーブルタップに関するもので、Ａは例５を示す平面図、Ｂは例６を示す平面図である。
【図１２】同じく例６の配線を示す説明図である。
【符号の説明】
【００３４】
１０  差込み位置の自由なテーブルタップ
１１  電源プラグ
１２  刃
１３、３３、３４  刃受け口
１４  端子列
１５、３５、３７  タップ本体
１６  上部材
１７  下部材
１８  電源コード
１９ａ、１９ｂ、２０  端子板
２１ａ、２１ｂ  端子
２２ａ、２２ｂ  保持部
２３  係合片
２４  結合手段
２５  溝
２６  ホルダー
２７  固定手段
２８  側部
２９  ＡＣアダプター
３０  スイッチ
３１  ＵＳＢ端子
３２  〃開口
３６  ３極目の刃受け口
【図１】
0003189074.tif 000003
【図２】
0003189074.tif 000004
【図３】
0003189074.tif 000005
【図４】
0003189074.tif 000006
【図５】
0003189074.tif 000007
【図６】
0003189074.tif 000008
【図７】
0003189074.tif 000009
【図８】
0003189074.tif 000010
【図９】
0003189074.tif 000011
【図１０】
0003189074.tif 000012
【図１１】
0003189074.tif 000013
【図１２】
0003189074.tif 000014